Podtech/llm-jp-corpus-v4-ja_patent huggingface dataset:
(57)【要約】      （修正有）【課題】合成樹脂床材を設置するにあたり、床下地に段差がある場合に、床下地を平らに調整するか、合成樹脂床材と床下地との間に段差解消材を用いるなど、専門的な職人による段差解消工事を必要としないで簡便に設置工事が行える段差解消機能付き合成樹脂床材を提供する。【解決手段】合成樹脂床材の小口４辺のうち小口２辺に凹部１と残りの小口２辺に凸部２の断面形状で実加工をそれぞれ施すことにより、合成樹脂床材同士を接合する際に小口４辺が重なり合い、床下地に段差がある場合に実の結合効果により合成樹脂床材同士に段差が生じない。【選択図】図１
0003212170.tif 000002
【実用新案登録請求の範囲】
【請求項１】
合成樹脂床材の小口４辺に実加工を施すことにより、床下地に段差がある場合に、専門的な職人による床下地段差解消工事を行うことなく、段差の無い床仕上げを簡便に実現することができることを特徴とする段差解消機能付き合成樹脂床材
【考案の詳細な説明】
【技術分野】
【０００１】本考案は、合成樹脂床材の小口４辺に実加工を施すことで、床下地の段差解消ができる合成樹脂床材に関するものである。
【背景技術】
【０００２】従来の合成樹脂床材は、床下地の上に接着剤を用いて直接に設置されており、床下地に段差がある場合は、合成樹脂床材同士の接合部も同様に段差が生じるという欠点がある。【０００３】そのため、従来の合成樹脂床材の設置時は、床下地に段差がある場合は、床下地を平らに調整するか、合成樹脂床材と床下地との間に段差解消材を用いるなど、専門的な職人による段差解消工事をしなければならないという欠点があった。
【考案の概要】
【考案が解決しようとしている課題】
【０００４】本考案は、以上のような従来の欠点に鑑み、床下地に段差がある場合に、専門的な職人による段差解消工事を行うことなく床下地に直接に床材を設置出来るように、合成樹脂床材の小口４辺に実加工を施すことを目的としている。
【課題を解決するための手段】
【０００５】上記の目的を達成するために、本考案は、合成樹脂床材の小口４辺に凹凸形状の実加工を施すことにより、合成床材同士を接合する際に小口４辺が重なり合い、床下地に段差がある場合に実の結合効果により合成樹脂床材同士に段差が生じず、専門的な職人による段差解消工事を行うことなく床下地へ直接設置ができ、前述の課題を解決するものである。
【考案の効果】
【０００６】上述のように、本考案は、床下地に段差がある場合に、専門的な職人による床下地の段差解消工事を行う必要はなく、また、合成樹脂床材と床下地との間に段差解消材を用いる工事も不要となり、専門の職人でなくても簡便に段差のない床工事が可能とる。
【図面の簡単な説明】
【０００７】
【図１】  合成樹脂床材の断面図である
【図２】  合成樹脂床材の見下げ図である
【図３】  合成樹脂床材と床下地の断面図である
【考案を実施するための形態】
【０００８】合成樹脂床材の小口４辺に実加工を施すことにより、床下地に段差がある場合に、その上に設置する合成樹脂床材の小口４辺が実により重なり合うことで段差を生じさせない効果により、床下地の段差を解消することが出来る。
【実施例】
【０００９】以下、添付図面に従って一実施例を説明する。
１は合成樹脂床材の２辺に施す実加工の凹部で、２は残りの２辺に施す凸部の断面形状である。３は合成樹脂床材で厚さは３ｍｍから５ｍｍとし、４は床下地で２５ｍｍ又は２８ｍｍの構造用合板である。３は接着剤により４に直接設置されている。３の合成樹脂床材は、隣り合う合成樹脂床材の長手方向と短手方向の接合部が１と２の実加工で結合されているので、４に段差がある場合に３に段差が生じない効果をもたらす。
【符号の説明】
【００１０】１  実加工凹部
２  実加工凸部
３  合成樹脂床材
４  床下地
【図１】
0003212170.tif 000003
【図２】
0003212170.tif 000004
【図３】
0003212170.tif 000005
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
合成樹脂床材の小口４辺に実加工を施すことにより、合成樹脂床材同士を接合する際に小口４辺が重なり合い、床下地に段差がある場合に実の結合効果により合成樹脂床材同士に段差が生じないことを特徴とする段差解消機能付き合成樹脂床材。
(57)【要約】      （修正有）【課題】すのこ状のものの上に容易に固定ができるＰＯＰスタンドを提供する。【解決手段】ＰＯＰスタンドの底面に、横方向に伸縮するバネ部材を付設する。すのこの隙間にＰＯＰスタンドを固定できる。【選択図】図２
0003212167.tif 000002
【実用新案登録請求の範囲】
【請求項１】
底面にバネ状部材を付設することで、固定が用意にできるPOPスタンド
【考案の詳細な説明】
【技術分野】
【０００１】
この考案はすのこ用POPスタンドに関する。
【背景技術】
【０００２】
POPスタンドは、例えば店頭で、価格や商品名を書いたカードを表示する際、カードの角度を維持する際に使用されている。
【０００３】
ところで、このようなPOPスタンドは、台の上に置いて使用するのが一般的である、特に飲食店（パン屋）では、図1のように“すのこ”状のものを販売台の上に敷き、その上に置いて使用することが多い。
【考案の概要】
【考案が解決しようとする課題】
【０００４】
上述したように、このようなPOPスタンドは、置いてあるだけなので、商品を取る際に手や商品が触れた際、位置がズレたり、落下してしまうことがあり、POPスタンドの位置を固定するのが困難である。
【０００５】
また、このような場合には、両面テープ等で固定することもあるが、商品の位置を移動させる際に、再度テープをその都度貼り直さなくてはならず、テープの粘着部にゴミが付着すという問題も生ずる。
【課題を解決するための手段】
【０００６】
請求項１に記載の考案は、POPスタンドの底面にバネ状の部材が付設される。
【０００７】
請求項２に記載の考案は請求項１の記載の考案において、前記リング部材の開口部は、そこに挿入する手のひらの断面形状に対応する方向を向く略楕円形状を有する。
【０００８】
請求項３に記載の考案は、請求項２の記載の考案において、前記リング部材には磁石が付設される。
【０００９】
請求項１に記載の考案によれば、POPスタンドの底面にバネ状の部材を有することで、
“すのこ”の部材の隙間に容易に固定できる。又、隙間の寸法にバラつきがあっても
バネ形状で伸縮するので、容易に対応できる。
【図面の簡単な説明】
【００１０】
【図１】従来のPOPスタンド。
【図２】この考案に係るPOPスタンド。
【図１】
0003212167.tif 000003
【図２】
0003212167.tif 000004
【手続補正書】
【提出日】平成29年7月3日(2017.7.3)
【手続補正１】
【補正対象書類名】実用新案登録請求の範囲
【補正対象項目名】全文
【補正方法】変更
【補正の内容】
【実用新案登録請求の範囲】
【請求項１】
底面に横方向に伸縮するバネ状部材を付設することで、すのこ状の部材に固定が
容易にできるPOPスタンド。
(57)【要約】      （修正有）【課題】縫い機を使わない手縫いによる畳制作時、畳縁を縫い付ける平刺縫いで、畳床の下から縫い針を突き刺し正確な箇所を縫う作業を容易にする畳縁平刺し器具を提供する。【解決手段】畳製作の平刺し縫い作業に用いる畳縁平刺し器具１であって、縫い穴５を備え、畳縁平刺し器具１に畳床及び畳縁を挟み入れた状態で縫い穴５に縫い針を通す事で、常に正確な箇所を縫う事が可能である。畳縁平刺し器具１はさらに縫い穴５に繋がる裂け目６を備え、畳縁平刺し器具を横に移動する事で、裂け目６から縫い糸が抜ける。【選択図】図１
0003212576.tif 000002
【実用新案登録請求の範囲】
【請求項１】
畳製作の平刺し縫い作業時、器具の縫い穴に縫い針を通す事で、常に正確な箇所を縫う事を特徴とする畳縁平刺し器具。
【請求項２】
器具を横に移動する事で、縫い穴に繋がる裂け目から縫い糸が抜ける事を特徴とする畳縁平刺し器具。
【考案の詳細な説明】
【技術分野】
【０００１】  本考案は、畳製作時の平刺し縫い作業に関する物である。
【背景技術】
【０００２】  畳床に畳緑を縫いつける平刺し縫いを、縫い機を用いず手縫いで行う事は、大変に高難度な作業である
【考案の概要】
【考案が解決しようとする課題】
【０００５】  畳は、畳床と呼ばれる土台部分に、畳表と畳緑を縫い付けた物である。畳縁は幅を一定に仕上げる。
そのためには畳緑を縫い付ける平刺し縫いで、畳床の下から縫い針を突き刺し、正確に、畳上面フチから２．７ｃｍの位置に縫い針を突き出さなくてはならない。
しかし畳床の厚みのためにその作業、技術は容易な物ではなく、多くは、正確ではない位置に縫い針が出てしまう。
【課題を解決するための手段】
【０００６】  以上の課題を解決するための第一考案は、器具に開けた縫い穴に縫い針を通す事で、常に畳上面の正確な箇所に縫い針を突き出す事を可能とする器具である。
また、第二考案は、器具を横に移動する事で、縫い穴と繋がった裂け目部分から縫い糸が抜け出て、そのまま次の目の縫い作業に掛れる事である。
【考案の効果】
【０００７】  器具の縫い穴は器具のフチから２．７ｃｍの箇所に垂直に開けてあるため、そこに縫い針を通す事で、常に畳上面の正確な位置に縫い針が出る。
【図面の簡単な説明】
【０００８】
【図１】本考案の一実施形態を示す上斜視図である。
【図２】本考案の一実施形態を示す下斜視図である。
【図３】本考案の一実施例を示す上斜視図である。
【図４】本考案の一実施例を示す下斜視図である。
【考案を実施するための形態】
【０００９】  本体と上面押さえ板で畳床、畳縁を挟み、
本体の縫い穴に縫い針を通す事で、常に正確な位置を縫う。
その際、本体内部に留まる縫い糸は、縫い穴に繋がった裂け目を通る事で、本体と離れる。
【実施例】
【００１０】（図１）平刺し器本体１は硬質プラスチックス製であり、本体１の側面に立て板３、立て板の上部に上面押さえ板２を設置する。
（図３）畳床７に畳表８を縫い付け、畳縁９を張った物を、
本体１と上面押さえ板２の間に挟み入れる。
（図４）縫い穴５の下から縫い針を刺し入れる。畳上面に現れた縫い針を引き上げ、縫い糸をピンと張り、器具を図左方向に移動する事で、糸抜き６の裂け目を通って縫い糸が器具を抜ける
【符号の説明】
【００１１】１  平刺し器本体
２  上面押さえ板
３  立て板
４  蝶螺子
５  縫い穴
６  糸抜き
７  畳床
８  畳表
９  畳縁
【図１】
0003212576.tif 000003
【図２】
0003212576.tif 000004
【図３】
0003212576.tif 000005
【図４】
0003212576.tif 000006
【手続補正書】
【提出日】平成29年6月29日(2017.6.29)
【手続補正１】
【補正対象書類名】実用新案登録請求の範囲
【補正対象項目名】全文
【補正方法】変更
【補正の内容】
【実用新案登録請求の範囲】
【請求項１】
畳製作の平刺し縫い作業に用いる畳縁平刺し器具であって、前記畳縁平刺し器具は縫い穴を備え、前記畳縁平刺し器具に畳床及び畳縁を挟み入れた状態で前記縫い穴に縫い針を通す事で、常に正確な箇所を縫う事が可能である事を特徴とする畳縁平刺し器具。
【請求項２】
請求項１に記載の畳縁平刺し器具であって、前記畳縁平刺し器具はさらに前記縫い穴に繋がる裂け目を備え、前記畳縁平刺し器具を横に移動する事で、前記裂け目から縫い糸が抜ける事を特徴とする畳縁平刺し器具。
(57)【要約】      （修正有）【課題】一重のアーチ型パイプによって、ビニールシートを二重に張ることができ、組み立てが容易で、保湿性の優れた軽量のビニールハウスを提供する。【解決手段】筒状に成形したシート２にフレーム１、１’を予め通して、フレーム１と１’が平行かつシート間に空気層ができるように配置することで、容易にハウス空間を形成する。【選択図】図１
0003212580.tif 000002
【実用新案登録請求の範囲】
【請求項１】
筒状に成形したシートの中にアーチ状の複数本のフレームを通し、受け金物にフレームを固定することで、シートとシートの間に空気層を持つトンネル状の構造を用意に得ることができるビニールハウス。
【考案の詳細な説明】
【技術分野】
【０００１】本案は、農業においては農作物、果樹、苗等の育成、栽培、土木建設業においては現場の養生、資材置場等に用いられる、風雨や降雪を除けるためのビニールハウスを構築するための骨組材及び被覆材に関する。
【背景技術】
【０００２】ビニールハウス内の保湿機能を高めるためにビニールシートを二重に張設する場合、例えば特開平１０−３３７１２３号に示されるようにアーチ型パイプフレームを内外二重に設置して、それぞれにビニールシートを掛けて二重にすることが提案されている。【０００３】このような、アーチ型パイプを内外二重に設置することは、その設置に倍の手間とコストが必要であり、またアーチ型パイプを設置する時に先に設置してあるパイプがその内側部分と外側部分の作業を行う時の邪魔をしてしまう難点があった。【０００４】また、実開昭５５−１１０２２８号に示されているように、ビニールシートを先に二重にしておいてからハウスフレームに張る方法もあるが、この場合に使用するビニールシートは特殊なシートであるために、シート自体の費用が大きく、シートがアーチ型パイプに張り付けるのが難しいという問題があった。
【考案の開示】
【考案が解決しようとする課題】
【０００５】本考案は、上記実情に鑑みてなされたもので、一重のアーチ型パイプにビニールシートを二重に張ることができて、組み立てが用意で、保湿性が高いビニールハウスを提供するものである。
【課題を解決するための手段】
【０００６】前述の課題を解決するために、本考案のビニールハウスは、筒状に成形したシートの内側にアーチ状に成形したフレームを複数本通して、シートの大きさに準じた間隔で平行に配置してビニールハウスを形成するだけで、空気層を持つ二重の被覆体が得られることを特徴とする構造である。【０００７】また、上記の構造を連続してビニールハウスを構成する場合、平行に配置したフレームの妻側の端部が重なるように配置することで、容易に構成することができる。
【考案の効果】
【０００８】本考案により、二重シート内の空気層により断熱性能が得られ、ハウス内に高い保湿効果が得られる。また、夏期の二重シートが不要な期間は、シートとフレームが一体のままフレームを取り外すだけで小さく収納することができる。【０００９】図１のアーチフレーム  １  及び  １’を筒状に成形された被覆体  ２  の中に通し、図２で示す断面図のように空気層  ３  が得られるように平行に配置する。配置の際は図３のｂ詳細図▲１▼のようにアーチフレーム  １  を地面  ４  に直接建て込み配置する方法、図４のｂ詳細図▲２▼のように受け金具  ５  を束石  ６  に固定し、アーチフレーム  １  を差し込んで配置する方法、図５のｂ詳細図▲３▼のようにレール  ７  に受け金物  ５  を固定し、アーチフレーム  １  を差し込んで配置する方法などがある。【００１０】図１の構成を連続して得ようとする場合、図１の構成を複数組用意し、図６のフレーム  １’にフレーム  １”が覆いかぶさるように配置することにより、図７の空気層  ３  を損なうことなく容易に連続した構成を構築できる。
【図面の簡単な説明】
【００１１】
【図１】
【図２】
【図３】
【図４】
【図５】
【図６】
【図７】
【符号の説明】１    フレーム
１’  フレーム
１”  フレーム
0003212580.tif 000003
２    被覆体
２’  被覆体
３    空気層
４    地面
５    受け金物
６    束石
７    レール
ａ    図１図２における断面の起点
ａ’  図１図２における断面の終点
ｂ    図１図３図４図５における詳細の範囲
ｃ    図６図７における断面の起点
ｃ’  図６図７における断面の終点
【図１】
0003212580.tif 000004
【図２】
0003212580.tif 000005
【図３】
0003212580.tif 000006
【図４】
0003212580.tif 000007
【図５】
0003212580.tif 000008
【図６】
0003212580.tif 000009
【図７】
0003212580.tif 000010
【手続補正書】
【提出日】平成29年7月31日(2017.7.31)
【手続補正２】
【補正対象書類名】明細書
【補正対象項目名】００１１
【補正方法】変更
【補正の内容】
【００１１】
【図１】立面図
【図２】ａ−ａ’断面図
【図３】図１よりｂ詳細図▲１▼
【図４】図１よりｂ詳細図▲２▼
【図５】図１よりｂ詳細図▲３▼
【図６】連結部立面図
【図７】図６よりｃ−ｃ’断面図
(57)【要約】【課題】ショーケースの正面扉を電動かつ簡素な構成によって開閉させるショーケースを提供する。【解決手段】正面曲面開閉扉２の両端部に扉アーム５を取り付けその扉アームにロッド式電動アクチュエータ３のボールねじロッド４の先端部と旋回自在に接合する取付金具８を設け、かつその扉アームの他方の端部をショーケース本体１の一部に旋回自在に接合しておき、ロッド式電動アクチュエータの本体部はその端部をショーケース本体の一部に旋回自在に接合したことを特徴とするショーケース。【選択図】図１
0003212574.tif 000002
【実用新案登録請求の範囲】
【請求項１】
曲面開閉扉を有するショーケースにおいて、正面曲面開閉扉の両端部に扉アームを取り付け、その扉アームの曲面開閉扉に近接した位置にロッド式電動アクチュエータのボールねじロッドの先端部と旋回自在に接合する取付金具を設け、かつその扉アームの他方の端部をショーケース本体の一部に旋回自在に接合しておき、ロッド式電動アクチュエータの本体部はその端部をショーケース本体の一部に旋回自在に接合したことを特徴とするショーケース。
【考案の詳細な説明】
【技術分野】
【０００１】  本考案は、ショーケース正面に、上下に開閉する曲面ガラスを設けたショーケースに関するものである。
【背景技術】
【０００２】  従来は、モーター、線条及び滑車によって正面ガラスを開閉していたが、モーターは開閉それぞれの方向に必要とし、且つ、任意の位置に停止させるには制動装置が必要であった。従って、その使用部品点数の多さから製造・調整が複雑であり、改善が要求されていた。
【先行技術文献】
【特許文献】
【０００３】
【特許文献１】実開昭  ６１−１９２７５９
【考案の概要】
【考案が解決しようとする課題】
【０００４】  本考案は、上記した従来技術の問題点を解決し、容易に正面ガラスを開閉でき、任意の位置で停止させることで販売方法を変えることが出来るという効果を有する正面スイングガラス式ショーケースを提供する事が目的である。
【課題を解決するための手段】
【０００５】  本考案は、上記した目的を達成する為に、基本的には、正面曲面開閉扉の両端部に取り付けたロッド式電動アクチュエータが伸縮し、且つ、扉アームとの接合部を旋回自在とすることによって、上記課題を解決するものである。
具体的には、本考案は、曲面開閉扉を有するショーケースにおいて、正面曲面開閉扉の両端部に扉アームを取り付け、その扉アームの曲面開閉扉に近接した位置にロッド式電動アクチュエータのボールねじロッドの先端部と旋回自在に接合する回転金具を設け、かつその扉アームの他方の端部をショーケース本体の一部に旋回自在に接合しておき、ロッド式電動アクチュエータの本体部はその端部をショーケース本体の一部に旋回自在に接合したことを特徴とするショーケースである。
【考案の効果】
【０００６】  本考案は、上述のような構造を採用したことにより、機能をロッド式電動アクチュエータに集約することで使用部品を減らし、製作を簡素にてコストダウンを図ることが出来る。
また、正面曲面開閉扉が開閉することによって販売方法を変えることが出来る。
【図面の簡単な説明】
【０００７】
【図１】図１は、本考案に係る正面スイングガラス式ショーケースの断面図である。
【図２】図２は、本考案に係る正面スイングガラス式ショーケースの正面図である。
【図３】図３は、本考案の一部拡大図である。
【考案を実施するための形態】
【０００８】  以下に、本考案に係る正面スイングガラス式ショーケースの一具体例の構成を、図面を参照しながら詳細に説明する。
即ち、図１は、本考案に係る正面スイングガラス式ショーケースの一具体例の構成を示す側面断面図であって、図中、曲面開閉扉を有するショーケース１において、正面曲面開閉扉２の両端部に扉アーム５を取り付け、その扉アーム５の曲面開閉扉２に近接した位置にロッド式電動アクチュエータ３のボールねじロッド４の先端部と旋回自在に接合する回転金具８を設け、かつその扉アーム５の他方の端部をショーケース本体１の一部に旋回自在に接合しておき、ロッド式電動アクチュエータ３の本体部はその端部をショーケース本体１の一部に旋回自在に接合したことを特徴とするショーケース１が示されている。
【０００９】  本考案に係る正面スイングガラス式ショーケースのより詳細な構成について、更に説明するならば、図１は、本考案の正面曲面開閉扉２をショーケース本体１に組み込んだ断面であって、本体１に支点７で旋回自在に接合されたロッド式電動アクチュエータの本体部３に設けられている、適宜のモーター等の駆動手段を介して、回転するボールねじロッド４の尖端部を、本体１に、その一方の端部が支点６を介して旋回自在に接合されている扉アーム５の他方の端部と旋回自在に、回転金具８を介して接合する様に構成されている。
【００１０】  その為、ロッド式電動アクチュエータの本体部３の適宜の駆動手段により、ボールねじロッド４を伸縮させると、扉アーム５が支点６を中心にして所定の方向に旋回し、同時に、ロッド式電動アクチュエータの本体部３も支点７を中心として所定の方向に旋回する事が出来るので、正面スイングガラス式ショーケースの正面曲面開閉扉が開閉する。
【００１１】  図３は、回転金具８の拡大図である。ボールねじロッド４の伸縮に伴い、ホール形状の金具８ａとピン形状の金具８ｂによって力のベクトルを変化させることで正面曲面開閉扉２を開閉させる。
【産業上の利用可能性】
【００１２】  本考案は、ショーケースを製造する産業で利用される。
【符号の説明】
【００１３】    １  本体
２  正面曲面開閉扉
３  ロッド式電動アクチュエータ
４  ボールねじロッド
５  扉アーム
６  支点▲１▼
７  支点▲２▼
８  回転金具
【図１】
0003212574.tif 000003
【図２】
0003212574.tif 000004
【図３】
0003212574.tif 000005
(57)【要約】      （修正有）【課題】小型・中型ダンプトラックが公道を走行する際に予め積載量を把握して過積載による事故や違反を抑制する重量計を提供する。【解決手段】小型・中型ダンプトラックに取り付ける重量計であり、油圧シリンダーと油圧源とを連結する油圧配管の途中に分岐配管１３を設け、分岐配管に、圧力センサ１０を備え、さらに圧力センサの出力値を補正する補正手段と補正された補正値を重量表示する表示手段１１を備える。【選択図】図２
0003212572.tif 000002
【実用新案登録請求の範囲】
【請求項１】
ダンプトラックにおいて、荷台を上下動させる油圧シリンダーと油圧源と該前記油圧シリンダーとを連結する油圧配管と該油圧配管の途中に設けられる分岐配管と該分岐配管に設けられた圧力センサと該圧力センサの出力値を重量値に変換する重量値変換手段と該重量値変換手段によって変換された重量値を表示する表示手段を備えた事を特徴とする重量計。
【請求項２】
前記圧力センサと前記出力値変換手段と前記表示手段とは一体化されている事を特徴とする請求項１記載の重量計
【考案の詳細な説明】
【技術分野】
【０００１】  本考案は、積載物の重量を直ちに知ることができる中型・小型ダンプトラックのデジタル重量計の形状に関するものである。
【背景技術】
【０００２】  従来、中型・小型ダンプトラックは工事現場内で材料を小運搬したり、大型ダンプトラックで侵入できない狭い場所で使用するので公道で荷を積んで走る事が少なかった。【０００３】  土砂等運搬大型自動車に取り付ける自重計の技術上の基準を定める省令  昭和四十三年二月五日通商産業省・運輸省令第一号では、自重計の装備は積載量８ｔ以上の大型ダンプトラックが対象になっており中型・小型ダンプトラックには重量計が装備されていない。
【考案の概要】
【考案が解決しようとする課題】
【０００４】  近年公共事業は新設土木工事から維持管理工事に主流が移り、大規模な工事は少くなっている。道路や構造物等の痛みの早い市街地の工事が多くなり小型重機や小型・中型ダンプトラックの使用頻度が高くなっている。【０００５】  工事が多くなると比例して交通事故をする中型・小型ダンプトラックが増加していて、過積載していなければ防げた事故も多い。しかし、中型・小型ダンプトラックはほとんどの車両で重量計の装備がなく、過積載に気づかず運搬することも少くない。
【課題を解決するための手段】
【０００６】  本考案は以上のような課題を解決するために考案されたものであり、小型・中型ダンプトラックにおいて荷台を上下動させる油圧シリンダーと油圧源と該前記油圧シリンダーとを連結する油圧配管と該油圧配管の途中に設けられる分岐配管と該分岐配管に設けられた圧力センサと該圧力センサの出力値を重量値に変換する重量値変換手段と該重量値変換手段によって変換された重量値を表示する表示手段を備えた事を特徴とする重量計。【０００７】  また、前記圧力センサと、前記補正手段と、前記表示手段とは一体化されている事を特徴とする重量計。
【考案の効果】
【０００８】  本考案によれば、運搬出発前に正確な積載重量を計測することが確認できて最適な積載量での運搬が可能となる。また、交通事故の確率が減り安全な運転が担保できる。更には過積載による車輌の負担を抑え車輌の修理費等も軽減できる。
【図面の簡単な説明】
【０００９】
【図１】本考案の実施例を示す全体図（代表図）
【図２】本考案の第１実施例を示す平面図
【図３】本考案の第２実施例を示す平面図
【図４】本考案の第１実施例の圧力センサを示す概略図
【図５】本考案の第１実施例の表示手段を示す概略図
【図６】本考案の第２実施例の表示手段を示す概略図
【考案を実施するための形態】
【００１０】  図１は本考案の小型・中型ダンプトラックのデジタル重量計を搭載したダンプカーの例を示している。ダンプトラックは、車体１と荷台２は、油圧を加えて荷台２の上下動を行う油圧シリンダー３で構成されている。
【実施例１】
【００１１】  図２の平面図は、実施例１の概略図である。ダンプトラックの油圧源から前記油圧シリンダーに油を送る油圧配管より分岐した圧力ホース１３を配管端部で圧力センサ１０を装備する。該圧力センサは外れないようボディーに金物等で固定する。また、圧力センサ１０は金属製で耐水、耐久性に優れている製品を使用する。【００１２】  前記圧力センサ１０から信号ケーブル１２をトラックの室内まで配線して電子パネル１１に接続する。電子パネル１１は、横長の長方体で前面にデジタル表示のできる表示手段を有している。
【実施例２】
【００１３】  図３の平面図は、実施例２の概略図である。ダンプトラックの油圧源から前記油圧シリンダーに油を送る油圧配管より分岐した圧力ホース１３を配管端部でカップラー雌１４に配管する。配管端部は外れないようボディーに金物等で固定する。カップラー雌１４にカップラー雄１５の付いた電子パネル一体型圧力センサ２０に接続する。【００１４】  該電子パネル一体型圧力センサ２０は、表示パネル部分が壊れやすく使用しない時は取り外しできる脱着タイプとする。前記電子パネル一体型圧力センサは、円形の表示部分にデジタル表示ができる液晶表示部分がある。
【符号の説明】
【００１５】１．  トラック車輌本体
２．  荷台
３．  油圧シリンダー
１０．圧力センサ
１１．電子パネル
１２．信号ケーブル
１３．圧力ホース
１４．カップラー雄
１５．カップラー雌
２０．電子パネル一体型圧力センサ
【図１】
0003212572.tif 000003
【図２】
0003212572.tif 000004
【図３】
0003212572.tif 000005
【図４】
0003212572.tif 000006
【図５】
0003212572.tif 000007
【図６】
0003212572.tif 000008
【手続補正書】
【提出日】平成29年6月27日(2017.6.27)
【手続補正１】
【補正対象書類名】実用新案登録請求の範囲
【補正対象項目名】全文
【補正方法】変更
【補正の内容】
【実用新案登録請求の範囲】
【請求項１】
ダンプトラックにおいて、荷台を上下動させる油圧シリンダーと油圧源と該前記油圧シリンダーとを連結する油圧配管と該油圧配管の途中に設けられる分岐配管と該分岐配管に設けられた圧力センサと該圧力センサの出力値を重量値に変換する重量値変換手段と該重量値変換手段によって変換された重量値を表示する表示手段を備えた事を特徴とする重量計。
【請求項２】
前記圧力センサと前記重量値変換手段と前記表示手段とは一体化されている事を特徴とする請求項１記載の重量計
(57)【要約】      （修正有）【課題】本考案は長袖の衣料を着衣している時水廻りの作業や洗面等で袖口を水で濡らしたり汚したりする恐れがあるとき通常腕まくりや袖上げ腕輪等使用するがその煩しさを簡単に解決することができる万能袖まくり不要ストラップを提供する。【解決手段】本考案はゴム状のストラップ本体１に袖口を容易に引っ掛ける２個のフック２を両端に結び首に掛けることによりストラップの弾力により袖口が引き上げられ袖口の水濡れや、汚れの不快感を防止に役立つ。さらに、ストラップ長さ調整ストッパー３を装着することにより身体の大小にかかわらず誰でも使用できる。【選択図】図１
0003212575.tif 000002
【実用新案登録請求の範囲】
【請求項１】
両端に釣り型フックを取り付けた長さ調整ストツパー付きゴム製のストラップを首に廻して袖口をフックに引っ掛け袖口を二の腕までゴムの弾力でひきあげる。長袖衣料の袖を捲り上げることなく家事、洗面．水廻り作業等袖口を水でぬらしたり汚したりの不快感を防止できるよう考案したことを特徴とする。
【考案の詳細な説明】
【技術分野】
【０００１】本考案は、ゴム状ストラップの両端に釣り針状のフックを固定し着衣の袖上げを容易にしたストラップに関するものである。
【背景技術】
【０００２】これまで家事、洗面，水廻りの作業等袖口を水でぬらしたり汚れたりの不快感を防止する為長袖衣料の袖まくりや袖上げ固定バンドを使用していた。
【先行技術文献】
【特許分献】
【０００３】
【非特許分献】
【０００４】
【考案の概要】
【考案が解決しようとする課題】
【０００５】従来は袖上げが必要な時は捲り上げるか、押し上げていたがこれだと垂れ下ったり，巻き上げが不十分等で水濡れや、汚れで不愉快な状態があった。しかしこのストラップを首に廻し袖口をフックに引っ掛けることにより腕を自在に動かしてもゴムの弾力により自動的に長さが調整されこの不快感が解決され、またストラップに取り付けた長さ調整フックが肩幅、腕の長さに対応して子供から大人まで使用できる。
【課題を解決するための手段】
【０００６】本考案はゴム状のストラップを首に廻して両端に取り付けたフックを袖口に引っ掛けゴムの弾力により袖口を引き上げ袖口の水濡れや作業上の不便さを解決する。また、ストラップの長さ調整用ストッパーにより肩幅、腕の長さに関係なく大人から子供なでしようできる。コンパクトに保管でき場所とらない。
【考案の効果】
【０００７】上述の様に、本考案の万能袖まくり不要スッパーは従来の輪ゴムによる袖止めホルダーや袖の長さを調整するクリップつきホルダーと異なりゴム状ストラップを首に廻し両端のフックを袖口に引っ掛けるだけで袖を引き上げルことが出来腕の伸縮に関係なくホールドーする簡単なストラップである。しかもストラップに長さ調整用ストッパーを使用することにより身体の大小関係なく誰でも使用できる。
【図面の簡単な説明】
【０００８】
【図１】本考案の万能袖まくり不要ストッパーの実施例を示す正面図である。
【考案を実施する為の形態】
【０００９】ストラップ本体を左右均等の長さになるよう首にかけ両袖口に容易に引っ掛けられ、尚且つ簡単に外れないよう形状を考案されたプラスチック素材のフックを両袖口にかける。ストラップの長さは予め肩幅程度にストラップに装着されている調整ストッパーにより調整しておく。短めに調整すれば袖口は二の腕の上方に固定される。常にゴムの弾力を感じる程度にストラップを調整する、
【実施例】
【００１０】以下、添付図面に従って事例を説明する。１は弾力のあるゴム素材であるが肌にやさしい繊維で覆ったゴム紐デアリ何色かのバリエーションを用意する。２は肌に優しいプラスチックの釣り針状のフックであり１のストラップ結ばれる。３はストラップの長さを簡単に調整するストッパーである。保管は紐状の為どこにも吊り下げて保管でき形状の大きさもフックの大きさの容器で携帯または移動できる。
【符号の説明】
【００１１】１  ストラップ本体
２  フック
３  ストラップ調整ストッパー
【図１】
0003212575.tif 000003
【手続補正書】
【提出日】平成29年6月30日(2017.6.30)
【手続補正１】
【補正対象書類名】実用新案登録請求の範囲
【補正対象項目名】全文
【補正方法】変更
【補正の内容】
【実用新案登録請求の範囲】
【請求項１】
両端に釣り針状のフックを取り付けた長さ調整用ストッパー付きゴム状ストラップであり長袖の袖を捲り上げることなく引き上げることを特徴とした万能袖まくり不要ストラップ。
(57)【要約】      （修正有）【課題】各囲いの上から既存のごみ袋ネットを覆って、設置路上から完全に隙間無く、ごみ袋の山積みをカバーできるごみ袋ネット用パネルごみ袋囲いを提供する。【解決手段】プラ段（プラスチックダンボール）パネル、メッシュ又はパンチングパネルに軽量・耐候性素材を用い、ごみ袋の投棄・収集性を考慮した上、設置・持運び・組立し易い適当大四角形ユニットにしたパネル１を所望数、折り曲げ自在になるＨ形、仕切付Ｉ形、又は耐候性粘着テープ・シートの折可継手２を用いて、横連続に接続して所望大の囲い３にしたもので、プラ段の場合は、折可継手２を用いず、経済取寸幅のプラ段を接着により連続接合した上に、折可継手２の代わりに折筋やミシン折目を、垂直に所望数入れることで仕切って各パネル１部を成し、それを所望の形に折開いて囲い３を成す事もできる。【選択図】図３
0003212597.tif 000002
【実用新案登録請求の範囲】
【請求項１】
プラ段（プラスチックダンボール）パネル、メッシュ又はパンチングパネルの軽量・耐候性素材を用い、ごみ袋の投棄・収集性を考慮した上、組立し易い適当大四角形ユニットにしたパネル１を所望数、折り曲げ自在になるＨ形、仕切付Ｉ形、又は耐候性粘着テープ・シートの折可継手２を用いて、横連続に接続して所望大の囲い３にしたところを特徴とするごみ袋ネット用パネルごみ袋囲い。
【請求項２】
ごみ袋の投棄・収集性を考慮した高さで、経済取寸幅のプラ段を接着により連続接合し、それに折筋・ミシン折目を垂直に、所望数入れることで仕切って各パネル１部を成し、所望の形に折開いて囲い３を成すところを特徴とするごみ袋ネット用パネルごみ袋囲い。
【考案の詳細な説明】
【技術分野】
【０００１】  本考案は、市区町村のゴミ収集日に、ごみ袋投棄収集場所に設置する、ごみ袋投棄用品に関するものである。
【背景技術】
【０００２】  ごみ収集日は、路上に各戸の投棄ごみ袋を山積みした上に、一般的に知られるごみ袋ネットを全体に覆って、ガラス・ネコの侵入によるごみ袋荒しを防いでいた。
【考案の開示】
【考案が解決しようとする課題】
【０００３】  投棄ごみ袋の路上山積みに、ごみ袋ネットを覆う従来の方法は、路上にごみ袋ネットがピッタリ添わず隙間を生じるため、そこからカラス・ネコが侵入して、中のごみ袋を破ってごみを外に散乱させ、餌となるものを食い散らかし、被害に遭う欠点を解決しようとするものである。
【課題を解決するための手段】
【０００４】  本考案は、プラ段（プラスチックダンボール）パネル、メッシュ又はパンチングパネルの軽量・耐候性素材を用い、ごみ袋の投棄・収集性を考慮した上、設置・持運び・組立し易い適当大四角形ユニットにしたパネル１を所望数、折り曲げ自在になるＨ形、仕切付Ｉ形、又は耐候性粘着テープ・シートの折可継手２を用いて、横連続に接続して所望大の囲い３にしたものであるが、プラ段の場合は、折可継手２を用いず、経済取寸幅のプラ段を接着により連続接合した上に、折可継手２の代わりに折筋やミシン折目を、垂直に所望数入れることで仕切って各パネル１部を成し、所望の形に折開いて囲い３を成す事もできる。そして、前述各囲い３の上から既存のごみ袋ネットをスッポリ覆って、設置路上から完全に隙間無く、ごみ袋の山積みをカバーして問題を解決している。
【考案の効果】
【０００５】  本考案のごみ袋ネット用パネルごみ袋囲いにより、路上から隙間なく囲われた中に、投棄ごみ袋の山積みがあるため、カラス・ネコの侵入を防げて、ごみ袋荒しの被害を無くせる効果がある。しかも、ごみ袋投棄の際、従来のようにキッチリ詰めて山積みし、ごみ袋ネットも全周隙間なくチェックしカバーする手間を必用とせず、囲い３にカバーされたごみ袋ネットの片隅を開けて、ごみ袋を囲い３の中に投げ込み、ごみ袋ネットを元に戻すだけで簡単に投棄できる効果がある。さらに、軽量素材のパネル１を、折曲げ自在の折可継手２や折筋・ミシン折目により、不使用時にコンパクトに折り畳めて収納場所を取らず、持ち運びも軽くて楽で、設置も道路上に折り畳みを広げるだけで、簡単・スピーディに出来、四角囲い３以外に設置場所の地形に合わせて、変形した囲い３にもできる効果がある。その上、雨水にも強い耐候性素材なので、内・外何処にでも収納できる効果がある。
【考案を実施するための最良の形態】
【０００６】  ごみ収集日のごみ袋を投棄・収集するのに適した、所望大の囲い３を得るため、設置・持運び・組み立て易い適当大の一ユニットにした、四角形パネル１を所望数用いて、折り曲げ自在になるＨ形、仕切付Ｉ形、又は耐候性粘着テープ・シートの折可継手２により、前記パネル１を横に連結接続していき所望大の囲い３を成し、その囲い３の上から、既存のごみ袋ネットを、囲い３の側面まで垂れるように、囲い３全体に隙間無くカバーすることにより、路上から全く隙間無くカバーできて、カラス・ネコの侵入を阻止しごみ袋荒しを防げる。また、折可継手２が、折り曲げ自在のため、本考案の囲い３を即コンパクトに折り畳んで収納できる上、それを開くだけで即簡単に囲い３となり路上設置できる。
【実施例】
【０００７】  以下、添付図面に従って一実施例を説明する。パネル１は、所望大囲い３に組み立てる側面の一ユニットで、素材として軽量・耐水耐候性に優れたプラ段（プラスチック段ボール）、メッシュ又はパンチングパネルを用い、ゴミ収集員が、ゴミ袋を取り出し易い適当高で、組み立て易い適当幅の四角形とし、所望数用いて所望大の囲い３を構成する。またパネル１は、所望で数種の幅のものを用いても良い。【０００８】  また、プラ段の場合は、折可継手２を用いず、経済取寸幅のプラ段を接着により連続接合し、折可継手２の代わりに折筋・ミシン折目を、垂直に所望数入れることで仕切って各パネル１部を成し、所望の形に折開いて囲い３を成す事もできる。【０００９】  折可継手２は、前記パネル１を横に連続連結していくもので、Ｈ形または仕切付Ｉ形の断面をしているパネル１高の長尺物で、自在に曲げられるプラスチック素材を用いており、Ｈ形は、両サイドからパネル１をピッタリはめ込む事が出来、仕切付Ｉ形は、仕切４まで両側からパネル１片面に当てがい、両者とも鋲、ビス又は接着剤で固定して接続連結するもので、折可継手２の真中部分は、パネル１を付着しない継手折部のみとして、パネル１厚で閊えずに、自在に折り曲げられるようにしている。また、耐候性粘着テープ・シートの折可継手２にして、同要領で継手折部を設けた粘着接着により、各パネル１を連続連結してもよい。【０００９】  ゴミ袋ネットは、ゴミ収集日に従来から使用しているもので、本考案の申請は、共用する囲いの方にあるため添付図面に記入していない。また本考案の製品化は、囲い完成品、組立キット品のどちらにしても良い。
【図面の簡単な説明】
【００１０】
【図１】  本考案のネット用パネルゴミ袋囲いの一実施例を示す正面図である。
【図２】  本ごみ袋囲いの右側面図である。
【図３】  本ごみ袋囲いの平面図である。
【図４】  折可継手２である仕切付Ｉ形の断面図である。
【符号の説明】
【００１１】  １  パネル
２  折可継手
３  囲い
４  仕切
【図１】
0003212597.tif 000003
【図２】
0003212597.tif 000004
【図３】
0003212597.tif 000005
【図４】
0003212597.tif 000006
(57)【要約】      （修正有）【課題】次に使用する人がつまみやすくする為、またオシャレに見せるためにＶの字に切ることができるトイレットペーパーを提供する。【解決手段】トイレットペーパーにＶの字に切り目を入れる。【選択図】図１
0003212598.tif 000002
【実用新案登録請求の範囲】
【請求項１】
トイレットペーパーの切り目をＶの字に切り目を入れたトイレットペーパー
【考案の詳細な説明】
【技術分野】
【０００１】この考案は、トイレットペーパーの切れ方に関するものである。
【背景技術】
【０００２】  従来トイレットペーパーの切り目は横一直線に切り目が入れてあり
切った後は次の人がつまみやすくする為折り目を曲げてＶの字になるようにすることがある。
【先行技術文献】
【０００３】
【特許文献１】
【考案の概要】
【考案が解決しようとする課題】
【０００４】    これは、次のような欠点があった。
従来トイレットペーパーの切り目は、横一直線に切り目を入れてあり
切りとった後は、次の人が取りやすくする為にまた、オシャレ的にするためにＶの字になるように折りたたんでいた。
本考案は、以上のような欠点をなくすためになされたものである。
【課題を解決するための手段】
【０００５】トイレットペーパー（１）の切り目をＶの字（２）に切り目を入れる。
本考案はＶの字に切り目を入れたトイレットペーパーである。
【考案の効果】
【０００６】トイレットペーパーの切れ目をＶの字に切り目を入れているので、引っ張って切ったときに、切り口がＶの字になっているので今までは、次の人が取りやすくまたオシャレ的にもなる。
【図面の簡単な説明】
【０００７】
【図１】  本考案の斜視図である。
【図２】  本考案の正面図である。
【考案を実施するための形態】
【０００８】以下、本考案を実施するための形態について説明する。
トイレットペーパー（１）の切り目を（２）のようにＶの字に切り目を入れたトイレットペーパーである。
本考案は、以上のような構造である
これを使用するときは、わざわざＶの字になるように折り曲げなくてもよい。
【符号の説明】
【０００９】  １          トイレットペーパー
２          Ｖの字に切り目を入れる
【図１】
0003212598.tif 000003
【図２】
0003212598.tif 000004
(57)【要約】      （修正有）【課題】自動車等の移動車両のヘッドライト（照明）を走行速度計と連動し照射角度を自動変動にすることにより、運転者の照明遠近切り替え操作をなくし、運転中の安全性を向上することができる移動車両用ヘッドライト（照明）を提供する。【解決手段】運転中の自動車等の移動車両のヘッドライト（照明）１において、走行速度計４と連動し角度を自動変動にすることにより運転者の近距離遠距離の切り替え操作をなくし、運転中の安全性を向上した。【選択図】図３
0003212592.tif 000002
【実用新案登録請求の範囲】
【請求項１】
運転中の自動車等の移動車両のヘッドライト（照明）において、走行速度計と連動し近距離遠距離の角度を自動変動にすることにより運転者の遠近切り替え操作をなくし、運転中の安全性を向上した自動車等の移動車両用ヘッドライト（照明）。
【考案の詳細な説明】
【技術分野】
【０００１】本考案は、自動車等の移動車両用遠近自動切り替えヘッドライト（照明）に関する。
【背景技術】
【０００２】自動車等の移動車両に用いるヘッドライト（照明）は、移動車両の前部に配置し、夜間等の暗い道路面を遠距離および近距離の二段階切り替えにて照らし、移動車両の走行が行われるように設置されている。
【考案の概要】
【考案が解決しようとする課題】
【０００３】しかしながら、近距離および遠距離の二段階切り替えをする従来の方法は、運転者が運転中に自ら行う操作であるため注意深く操作をする必要があり、特に初心者や高齢者にとっては安全運転という観点から問題があった。
【課題を解決するための手段】
【０００４】本考案は、自動車等の移動車両のヘッドライト（照明）を運転速度により自動的に近距離から遠距離に変動できるようにし、運転中における運転者の近距離および遠距離の二段階切り替え操作を不要とし、これにより上記課題を解決するものである。
【考案の効果】
【０００５】本考案に係る遠近自動切り替え移動車両用ヘッドライト（照明）は、移動車両の走行速度により遠近の切り替えを行うため移動車両を運転者が運転中に切り替え操作をする必要がなく、運転中の安全性向上を図ることができ、実用性に優れたものである。
【図面の簡単な説明】
【０００６】
【図１】本考案に係る遠近自動切り替え移動車両用ヘッドライト（照明）全体の説明図である。
【図２】本考案に係る遠近自動切り替え移動車両用ヘッドライト（照明）車両速度と照射距離の説明図である。
【図３】本考案に係る遠近自動切り替え移動車両用ヘッドライト（照明）速度計と照射切り替えの説明図である。
【考案を実施するための形態】
【０００７】図１に示すように、移動車両の走行速度によりヘッドライト（照明）１の角度は近距離２から遠距離３まで自動的に変動する。ヘッドライト（照明）１は速度計４と連動して自動で角度を変え、移動車両前方の視界を確保する。次に、図２に示すように、ヘッドライト（照明）１の照射距離は移動車両の走行速度等により適当な距離を照射する必要がある。
【０００８】図３に示すように、移動車両の運転手は走行速度計４により近距離２および遠距離３を自動でヘッドライト（照明）１の切り替え操作することなく自動で適切な視界を確保することができ、前方に視点を置いたまま運転を継続することができる。それにより、本遠近自動切り替え移動車両用ヘッドライト（照明）１は移動車両の事故防止のための安全性向上を図ることができる。
【０００９】本考案の遠近自動切り替え移動車両用ヘッドライト（照明）１は、移動車両の速度計４により近距離２から遠距離３に自動で切り替えることができ、適切な視界を確保する。これによって、運転者は「速度による適切な視界」を確保でき、また運転の安全性向上も図ることができる。
【符号の説明】
【００１０】１  ヘッドライト（照明）
２  近距離
３  遠距離
４  速度計
【図１】
0003212592.tif 000003
【図２】
0003212592.tif 000004
【図３】
0003212592.tif 000005
(57)【要約】      （修正有）【課題】背中が曲がるのを防ぎ、また既に曲がってしまった背中を矯正して、背筋をまっすぐにするための背中手入れポケット付上衣を提供する。【解決手段】後ろ手にした両手先を入れるため、左右両側に入り口を付け、上下を上着などの衣類に縫い付けて閉じ、中央を左右２個に分けるため閉じた背中手入れポケットとし、上衣の背中に取り付ける。【選択図】図５
0003212595.tif 000002
【実用新案登録請求の範囲】
【請求項１】
後ろ手にした両手先を入れるため、左右両側に入り口を付け、上下を上着などの衣類に縫い付けて閉じ、中央を左右２個に分けるため閉じた背中手入れポケット。
【請求項２】
後ろ手にした両手先を入れるため、左右両側に入り口を付け、上下を上着などの衣類に縫い付けて閉じ、ポケットの中で左右の手先を重ねることが出来る背中手入れポケット。
【請求項３】
後ろ手にした両手先を入れるため、左右両側に入り口を付け、上下を閉じたポケットを背中に付けた上衣。
【請求項４】
後ろ手にした両手先を入れるため、左右両側に入り口を付け、上下を閉じたポケットを背中に付けたベスト。
【考案の詳細な説明】
【技術分野】
【０００１】  高齢者はだんだん背中が曲がっていく。姿勢が前かがみになるためである。そこで、椅子などに座って、テレビを見ているときなどに、背筋を伸ばし、内向き肩を広げるようにすればよいと考えた。そのため、上衣などの背中にポケットを付け，そこに、後ろ手にした両手先を入れたらよいと考えた。こうすることによって、背筋が楽に伸び、内曲りの肩も広がるのである。
【背景技術】
【０００２】  両手を後ろに回して、手の平を外側に向け、背中で合わせると、背筋が伸び、内曲り肩も広がる。
【考案の開示】
【考案を解決しようとする課題】
【０００３】    後ろ手に背中で合わせた手先をそのまま、固定させればよい。そのため、両手先を入れるポケットをシャツや上衣などの背中に付ける。
【課題を解決するための手段】
【０００４】    シャツや上衣またはベストなどの背中に手先を入れるためのポケットを付ける。
【考案の効果】
【０００５】    椅子などに座ってテレビを見ているときなど、後ろ手にした両手先をこのポケットに入れると、上半身の背筋が伸び、内曲り肩が広がり、曲がり始めた高齢者の背中を楽に矯正できる。
【考案を実施するための最良の形態】
【０００６】    この背中ポケットは、後ろ手にした両手先が手のひらを外向きにして合わせて入るような位置、背中中央，腰上につける。ポケットの入り口は左右横で上下は閉じ、中央で左右を分けるために閉じる。また、この左右の閉じを無くして、左右両手先を中で合わせるようにしてもよい。
【実施例】
【０００７】    高齢者がテレビなど見たり、ぼんやり外を見たりしているときこの背中ポケットに両手先を入れたら、背中の曲がりが次第に無くなって姿勢が良くなった。
【産業上の利用可能性】
【０００８】    高齢者の姿勢が良くなり、整形外科に行く必要が無くなり、医療費抑制に貢献できる。
【図面の簡単な説明】
【図１】  左右２個の手入れ部分を有する背中手入れポケットの平面図である。
【図２】  同側面図である。
【図３】  中央の閉じを無くした背中手入れポケットの平面図である。
【図４】  同側面図である。】
【図５】  背中手入れポケット付上衣の平面図である。
【図６】  本考案による背中手入れポケット付ベストの平面図である。
【符号の説明】    １、ポケット入り口である。
２、ポケット入り口である。
３、ポケットを上着などに縫い付けた閉じ目である。
４、ポケットを上着などに縫い付けた閉じ目である。
５、左右を分ける閉じ目である。
【図１】
0003212595.tif 000003
【図２】
0003212595.tif 000004
【図３】
0003212595.tif 000005
【図４】
0003212595.tif 000006
【図５】
0003212595.tif 000007
【図６】
0003212595.tif 000008